(57)【要約】【課題】ＬＥＤ照明器具を使用したＬＥＤ照明移動台車を提供する。【解決手段】車輪を有し移動可能な台車と、該台車の長手方向一端側に所定の間隔を明けて立設する１対の中空マストと、該中空マストにそれぞれ挿通して伸縮可能に保持される一対の挿通マストと、該挿通マストの上端部を架け渡して連結する保持部材と、該保持部材を挿通して伸縮自在に延出する延出部材と、前記保持部材及び前記延出部材に回動可能に取付けられた複数の照明器具と、前記台車内に載置され前記照明器具を駆動する電源装置とから構成される。【選択図】        図４
0003149146.tif 000002
【実用新案登録請求の範囲】
【請求項１】
照明移動台車であって、車輪を有し移動可能な台車と、該台車の長手方向一端側に所定の間隔を明けて立設する１対の中空マストと、該中空マストにそれぞれ挿通して伸縮可能に保持される一対の挿通マストと、該挿通マストの上端部を架け渡して連結する保持部材と、該保持部材を挿通して伸縮自在に延出する延出部材と、前記保持部材及び前記延出部材に回動可能に取付けられた複数の照明器具と、前記台車内に載置され前記照明器具を駆動する電源装置とから構成されることを特徴とするＬＥＤ照明移動台車。
【請求項２】
前記照明器具は、ＬＥＤを光源とし、且つ前記電源装置は蓄電池と、直流交流変換器とからなることを特徴とする請求項１に記載のＬＥＤ照明移動台車。
【考案の詳細な説明】
【技術分野】
【０００１】
本考案は、照明移動台車であって、とくにＬＥＤを光源とする照明器具を一対の挿通マストを連結する保持部材に着脱自在に取付けて、挿通マストを伸縮させて高さを調整し、且つこの照明器具を回動することによって、光照射範囲及び方向を変更可能なＬＥＤ照明移動台車に関するものである。
【背景技術】
【０００２】
従来から、工事現場などで夜間作業を行う場合に、現場の照明として投光機が用いられている。従来の投光機は、搭載された発動発電機による発電電力を利用して照明としていた。また、所定場所に載置された発電機から電源コードを用いて電源供給を受けて照明とするものや、商用電源から直接電源供給を受けて照明とするものが知られている。
【０００３】
しかしながら、上述した従来の投光機は、主に夜間工事に使用されるものであり、電力の供給源として発動機や発動発電機を使用していたため騒音の問題が生じていた。
【０００４】
そこで、電力源として蓄電池や燃料電池などの電池を用い、該電池から供給される電力により、高圧放電ランプを動作させる移動型投光機が提案されている（特許文献１参照。）。また、照明灯と、電力を蓄積して供給する蓄電池と、日光による照射によって電力を発生させる太陽光発電装置と、前記太陽光発電装置によって発生された電力を前記蓄電池に供給して充電し、照明が必要な場合に前記蓄電池から放電して前記照明灯へ電力を供給するように充放電制御を行なうコントローラを有する移動式投光機もある（特許文献２参照。）。
【０００５】
【特許文献１】特開２００５−６３９１７号公報
【特許文献２】特開２００６−３５１４８６号公報
【考案の開示】
【考案が解決しようとする課題】
【０００６】
しかしながら、上記特許文献１に提案されている投光機は、高圧放電ランプを使用するため、消費電力量が多く畜電池も容量が大きなものを必要とした。また特許文献２に記載されている移動式投光機は、蓄電池と太陽光発電装置とを組合せて、照明が必要な場合にコントローラによって蓄電池の充放電制御を行なうものであり、装置構成が複雑となり高価なものとなった。
【０００７】
そこで、近年ＬＥＤを光源として、消費電力量を軽減できる照明装置が提案されている。しかしながら、現時点において工事現場などの投光機用として適応したものは見られない。
【０００８】
上記の問題点に鑑み本考案者は、ＬＥＤを光源として構造が簡単で、エネルギー効率の高いＬＥＤ照明移動台車を提供するに至った。
【課題を解決するための手段】
【０００９】
このため、本考案のＬＥＤ照明移動台車は、車輪を有し移動可能な台車と、該台車の長手方向一端側に所定の間隔を明けて立設する１対の中空マストと、該中空マストにそれぞれ挿通して伸縮可能に保持される一対の挿通マストと、該挿通マストの上端部を架け渡して連結する保持部材と、該保持部材を挿通して伸縮自在に延出する延出部材と、前記保持部材と前記延出部材に回動可能に取付けられた複数の照明器具と、前記台車内に載置され前記照明器具を駆動する電源装置とから構成されることを特徴とする。
【００１０】
また、前記照明器具は、ＬＥＤを光源とし、且つ前記電源装置は蓄電池と直流交流変換器とからなることを特徴とする。
【００１１】
前記一対の中空マストは、台車本体の長手方向一端側で幅方向に平行に立設されるか、或いは長手方向に平行に立設されて使用される。
【考案の効果】
【００１２】
本考案に係るＬＥＤ照明移動台車によれば、車輪を有し移動可能な台車と、該台車の長手方向一端側に所定の間隔を明けて立設する１対の中空マストと、該中空マストにそれぞれ挿通して伸縮可能に保持される一対の挿通マストと、該挿通マストの上端部を架け渡して連結し、伸縮自在に延出する保持部材と、該保持部材に回動可能に取付けられた複数の照明器具と、前記台車内に載置され前記照明器具を駆動する電源装置とから構成されているため、照明を必要とする場所に移動させて、挿通マストと保持部材を伸縮させて最適な照明の範囲と箇所を選択して照明することができるという効果を有する。
【００１３】
しかも、照明器具は、光源にＬＥＤを使用しており消費電力量が少なく、しかも長期間の使用ができるという優れた効果を有する。
【考案を実施するための最良の形態】
【００１４】
以下、本考案を実施例を示す図面を参照しながら説明するが、本考案が本実施例に限定されないことは言うまでもない。図１は、本考案のＬＥＤ照明移動台車の一実施例を示す平面説明図、図２は図１の側面説明図、図３は図１の正面説明図、図４は斜視図である。
【実施例】
【００１５】
図１乃至図４に示すように、本考案のＬＥＤ照明移動台車１は、台車本体２と、台車本体２の長手方向一端側に立設する２本の中空マスト３と、この中空マスト３に挿通し伸縮可能な挿通マスト４と、挿通マスト４上端部を架け渡して連結する保持部材５と、この保持部材５から伸縮自在に延出する延長部材６と、保持部材５と延出部材６に取付けられる３個のＬＥＤ照明器具７とから構成されている。
【００１６】
台車本体２は、天板を有する金属製の箱体からなり、底部に固定車輪８及びストッパー付き回転車輪９がそれぞれ２個取付けられ、また長手方向両端上部には手摺１０が取付けられており、人手によって移動自在とされている。そして台車本体２の内部には、畜電池１１、直流交流変換器１２、充電器１３などの電源装置が収納され、後述するＬＥＤ照明器具とケーブル配線（図示せず）によって接続して電力を供給する。また、台車本体２の内部には、上記電源装置と隔壁（図示せず）を介して積荷スペースが設けられ、積荷用開閉扉１４を開閉することによって例えば、後述する中空マストやＬＥＤ照明器具などの収納用として利用可能とされている。尚、電源装置のメンテナンス作業は、電源装置近傍の手摺１０下に設けられたメンテナンス用開閉扉１５の開閉によって可能である。
【００１７】
２本の中空マスト３はアルミ合金製で、台車本体２の天板に穿設された孔部１６をそれぞれ挿通し、床部に設けられた受け部１７に嵌入して保持される。そして挿通マスト４が中空マスト３の上部からそれぞれ挿入され、所定の位置でストッパー（図示せず）によって固定される。尚、挿通マスト４の外径は中空マスト３の内径より小径のアルミ合金で形成されている。
【００１８】
保持部材５は、２本の延長部材６をそれぞれ挿通可能な孔部が形成されており、保持部材５の長手方向に延長部材６を挿通して伸縮可能とする。そして、保持部材５と上記２本の挿通マスト４は取付部材を介して接続し、一体となって台車本体２に対し上下方向に可動可能とされている。
【００１９】
ＬＥＤ照明器具７は、複数のＬＥＤ素子を配置した基板を光源とし、上記保持部材５と延長部材６の所定位置に着脱可能に取付けられ、且つ水平方向及び垂直方向に回動可能とされている。そして商用電源である交流１００Ｖ若しくは蓄電池から直流交流変換によって得られた交流１００Ｖによって発光する。
【００２０】
上記構成のＬＥＤ照明移動台車は、夜間の道路工事やトンネル工事において、光源を必要とする箇所まで人手によって移動し、挿通マストを上下移動させて高さ調節を行い、また延長部材を必要長さ伸縮させることによって照明を当てる範囲を調節することができる。しかも、予め充電された蓄電池から直流交流変換器を介してＬＥＤ照明器具を発光させるため、動力発電機などを使用せずに静かな作業環境が得られる。また、必要に応じてＬＥＤ照明器具を取り外して移動させることが可能であり、延長コードなどを使用して、ＬＥＤ照明移動台車から離れた他の作業にも活用可能である。
【００２１】
以上、本考案のＬＥＤ照明移動台車によれば、ＬＥＤ照明器具を使用することによって、消費電力量を軽減することができ、また伸縮可能な挿通マストや延長部材を使用して多用な照明を行なうことが可能となる。
【図面の簡単な説明】
【００２２】
【図１】本考案に係るＬＥＤ照明移動台車の一実施例を示す平面説明図である。
【図２】図１の側面説明図である。
【図３】図１の正面説明図である。
【図４】本考案に係るＬＥＤ照明移動台車の一実施例を示す斜視図である。
【符号の説明】
【００２３】
１              ＬＥＤ照明移動台車
２              台車本体
３              中空マスト
４              挿通マスト
５              保持部材
６              延長部材
７              ＬＥＤ照明器具
８              固定車輪
９              ストッパー付き回転車輪
１０              手摺
１１              畜電池
１２              直流交流変換器
１３              充電器
１４              積荷用開閉扉
１５              メンテナンス用開閉扉
１６              孔部
１７              受け部
【図１】
0003149146.tif 000003
【図２】
0003149146.tif 000004
【図３】
0003149146.tif 000005
【図４】
0003149146.tif 000006